(57)【特許請求の範囲】
【請求項１】
所定ピッチで列状に配置された複数本の同軸ケーブルの各外部導体をコネクタに電気的に接続させる同軸ケーブル用コネクタの接続方法において、
列状に一体形成されたバネ性を有する断面略Ｕ字形の複数個の端子を有するコネクタを加熱させる工程と、
加熱された前記コネクタの各端子に対応する前記各同軸ケーブルをその外被部を含めて嵌着支承させるとともに、嵌着支承される外被部を、加熱された前記各端子により溶融して剥離し前記各同軸ケーブルの各外部導体を露出させ、該露出した各外部導体を前記各端子に電気的に一括接続させる工程
とを具えるようにしたことを特徴とする同軸ケーブル用コネクタの接続方法。
【発明の詳細な説明】
【０００１】
【発明の属する技術分野】
この発明は、ノート型コンピータ等の情報機器、家電製品等の小型電子機器に使用されるコネクタに関し、詳しくは、多数本の極細の同軸ケーブルの外部導体と電気的に接続する同軸ケーブル用コネクタとその接続方法に関する。
【０００２】
【従来の技術】
従来より、ノート型パソコン等の情報機器、家電製品等の小型電子機器の内部配線には多数本の極細ケーブルが使用されている。
【０００３】
この多数本の極細ケーブルとしては、絶縁体内部に極細の導体を配設した一本のケーブルを多数本集合させたもの、極細の導体を複数本列状に絶縁体内部に配設したフレキシブルフラットケーブル、あるいは極細の同軸ケーブルを多数本集合させたものなどが知られている。
【０００４】
このうち極細の同軸ケーブルを多数本集合させたものは、所定のピッチで列状に配置されて使用されることが多く、この複数本の同軸ケーブルの各外部導体を対応する筐体等のアース端子等にグランド接続する際には、各同軸ケーブルの各外部導体をそれぞれ一本づつ各アース端子に半田付けするようにしていた。
【０００５】
【発明が解決しようとする課題】
ところで、上述した従来の外部導体の接続方法によると、所定のピッチで列状に配置された各同軸ケーブルの各外部導体を対応する筐体等の各アース端子にグランド接続するのに、各外部導体をそれぞれ対応する各アース端子に一本ずつ半田付けする処理を行わねばならず、その結線作業が煩雑で工程増であり、また結線作業が煩雑であることから半田付け不良の発生要因でもあった。
【０００６】
この発明は、上述した事情に鑑み、複数本の同軸ケーブルのグランド接続が容易で、しかも確実なグランド接続を図ることができる同軸ケーブル用コネクタおよびその接続方法を提供することを目的とする。
【０００７】
【課題を解決するための手段】
上述した課題を解決するため、この発明では、所定ピッチで列状に配置された複数本の同軸ケーブルの各外部導体をコネクタに電気的に接続させる同軸ケーブル用コネクタの接続方法において、列状に一体形成されたバネ性を有する断面略Ｕ字形の複数個の端子を有するコネクタを加熱させる工程と、加熱された前記コネクタの各端子に対応する前記各同軸ケーブルをその外被部を含めて嵌着支承させるとともに、嵌着支承される外被部を、加熱された前記各端子により溶融して剥離し前記各同軸ケーブルの各外部導体を露出させ、該露出した各外部導体を前記各端子に電気的に一括接続させる工程とを具えるようにしている。
【０００９】
【発明の実施の形態】
以下、この発明に係わる同軸ケーブル用コネクタおよびその接続方法を詳述する。
【００１０】
図１は、この発明に係わる同軸ケーブル用コネクタ（以下、単に「コネクタ」という。）の要部を示す概念斜視図である。
【００１１】
このコネクタ１は、断面略Ｕ字形に形成されたバネ性を有する金属製の端子２〜５と、該端子２〜５を所定のピッチで列状に一体配置する端子列状配置部６とから構成され、各端子２〜５には、その下部に、前記端子列状配置部材６と連結接続する端子支持部２ａ〜５ａが形成されている。なお、これら端子２〜５、端子支持部２ａ〜５ａ、および端子列状配置部６は一枚の導電性の金属板により一体形成されている。
【００１２】
このうち、端子列状配置部材６は、図示せぬ筐体等のアース端子に接続されている。
【００１３】
一方、上述したコネクタ１と電気的に接続する同軸ケーブル１２〜１５はそれぞれ、中心導体１２ｃ〜１５ｃと、アース端子に接続される外部導体１２ｂ〜１５ｂと、該外部導体１２ｂ〜１５ｂを覆う外被部１２ｄ〜１５ｄとから構成されている。なお、中心導体１２ｃ〜１５ｃと外部導体１２ｂ〜１５ｂ間には中心導体１２ｃ〜１５ｃを囲繞して絶縁体が介在されている。なお、外被部１２ｄ〜１５ｄは絶縁体であるポリエステルから構成されている。
【００１４】
上述した同軸ケーブル１２〜１５をコネクタ１に接続するには、まず図１と同一部分を同一符号で示す図２のように、各同軸ケーブル１２〜１５の端末１２ａ〜１５ａの各外被部１２ｄ〜１５ｄを端子２〜５の長手方向に沿ってそれぞれ切除して各外部導体１２ｂ〜１５ｂを露出させる。
【００１５】
次に、図２の矢印Ａで示すように、露出した各外部導体１２ｂ〜１５ｂを対応する各端子２〜５内に接近させ、図１と同一部分を同一符号で示す図３、および図３のＢ−Ｂ断面図で示す図４のように、各外部導体１２ｂ〜１５ｂを対応する各端子２〜５に同時に嵌着させる。なお、図５は、図３の概念上面図で、図３と同一部分を同一符号で示している。
【００１６】
次に、同軸ケーブル１２の外部導体１２ｂとこの外部導体１２ｂに対応するコネクタ１の端子２を代表して同軸ケーブル１２〜１５の各外部導体１２ｂ〜１５ｂが対応する各端子２〜５に嵌着する場合についてさらに詳しく説明する。
【００１７】
外部導体１２ｂが端子２に嵌着すると、外部導体１２ｂが端子２の先端２ｂ内に嵌挿し、同時にこの先端２ｂが端子２内に配設された外部導体１２ｂをその両側面から把持するので、外部導体１２ｂと対応する端子２とが接触し、これにより両者間の電気的接続が図られることとなる。
【００１８】
したがって、上述したコネクタ１によれば、同軸ケーブル１２〜１５の各外部導体１２ｂ〜１５ｂをコネクタ１の各端子２〜５に一本ずつ半田付けする作業を行わずに、露出した同軸ケーブル１２〜１５の各外部導体１２ｂ〜５ｂをコネクタ１の各端子２〜５に嵌着させるという簡単な作業のみで各外部導体１２ｂ〜１５ｂを対応する各端子２〜５に同時に接触させ、これにより両者間の電気的接続を一括して図ることができる。
【００１９】
したがって、同軸ケーブルの１２〜１５の各外部導体１２ｂ〜１５ｂと対応するコネクタ１の各端子２〜５の結線作業は簡単となり、誤配線、配線不良を可及的に防ぐことができることとなる。
【００２０】
特に、このコネクタ１では、コネクタ１はバネ性を有する金属製の端子２〜５から構成されているから、端子２〜５の先端２ｂ〜５ｂは外部導体導体１２ｂ〜１５ｂをそれぞれ確実に把持し、これにより外部導体導体１２ｂ〜１５ｂが端子２〜５から脱落することは可及的に防止され、その電気的接続を一層確実にすることができる。
【００２１】
また、このコネクタ１では、各同軸ケーブル１２〜１５の露出された外部導体１２ｂ〜１５ｂをバネ性を有する金属製の端子２〜５に単に嵌着させる作業を行うことにより、各端子２〜５と各外部導体１２ｂ〜１５ｂとを電気的に一括接続することができるから、従来のように半田付けする処理は全く不要となる。
【００２２】
また、この実施例では、このコネクタ１の端子列状配置部材６を一枚の導電性の金属板から構成し、筐体等に配設されたアース端子に接続させるようにしたが、端子列状配置部材６をソケット等に配設されたアース端子と接続させるようにしてもよい。
【００２３】
また、本実施例では、配置されているすべての同軸ケーブル１２〜１５の外部導体１２ｂ〜１５ｂを所定ピッチで配設した対応する端子２〜５と電気的に一括接続するようにしたが、これに限定せず、少なくとも複数の同軸ケーブルが対応する端子と電気的に一括接続するものであればよく、例えば、図３で示す同軸ケーブル１２〜１５のうち複数本からなる一部の同軸ケーブル１２、１３が、対応する端子２、３と電気的に一括接続するようにしてもよい。
【００２４】
また、この実施例では、同軸ケーブル１２〜１５の外部導体１２ｂ〜１５ｂとコネクタ１を電気的に接続するのに、各同軸ケーブル１２〜１５の外被部１２ｄ〜１５ｄを切除し該外部導体１２ｂ〜１５ｂを露出させた後、当該外部導体１２ｂ〜１５ｂを各端子２〜５に嵌着するようにしたが、外被部１２ｄ〜１５ｄを切除する作業に代え、コネクタ１を半田ごて等の加熱手段を介して加熱処理を行い、この加熱処理されたコネクタ１の端子２〜５に同軸ケーブル１２〜１５の端末１２ａ〜１５ａを直接嵌着させるようにしてもよい。
【００２５】
次に、同軸ケーブル１２〜１５の各外被部１２ｄ〜１５ｄを切除せずに直接コネクタ１に接続する同軸ケーブルの接続方法について説明する。
【００２６】
まず、図１で示すコネクタ１を、半田ごて等による加熱手段を介し、端子列状配置部材６を２５０度以上に加熱する。
【００２７】
なお、端子列状配置部材６は端子２〜５の端子支持部２ａ〜５ａと連設されており、端子列状配置部材６および端子２〜５は金属から構成され伝熱性が高いため、これにより端子２〜５は前記温度に加熱される。
【００２８】
次に、図１で示す所定のピッチで水平に配列された同軸ケーブル１２〜１５の各端末１２ａ〜１５ａを外被部１２ｄ〜１５ｄを切除することなく、すなわち各外部導体１２ｂ〜１５ｂを露出させない状態で、図１の矢印Ｃのように対応する端子２〜５にそれぞれ嵌着する。
【００２９】
その嵌着の際、各同軸ケーブル１２〜１５の端末１２ａ〜１５ａをそれぞれ嵌着支承するコネクタ１の端子２〜５は列状に一体形成されているから、図１と同一部分を同一符号で示す図６、および図６のＤ−Ｄ断面図で示す図７のように、各端末１２ａ〜１５ａは対応する各端子２〜５に同時に嵌着することができるとともに、溶融した外被部１２ｄ〜１５ｄから露出した各外部導体１２ａ〜１５ａが対応する端子２〜５と接触して両者間の電気的接続が一括して図られることとなる。なお、図８は、図６の概念上面図で、図６と同一部分を同一符号で示している。
【００３０】
すなわち、同軸ケーブル１２の端末１２ａとこの端末１２ａに対応するコネクタ１の端子２を代表して同軸ケーブル１２〜１５の各端末１２ａ〜１５ａと対応する各端子２〜５との嵌着についてさらに詳しく説明すると、図１の矢印Ｃで示すように同軸ケーブル１２の端末１２ａを、この端末１２ａに対応するコネクタ１の端子２に嵌着しようとすると、図１と同一部分を同一符号で示す図９、および図９のＥ−Ｅ断面図で示す図１０のように、同軸ケーブル１２はその径がコネクタ１の端子２の先端２ｂ間の距離より大きいため、同軸ケーブル１２の外被部１２ｄがコネクタ１の端子２の先端２ｂに接触する。なお、図１１は、図９の概念上面図である。
【００３１】
一方、同軸ケーブル１２の外被部１２ｄが接触するコネクタ１の端子２は加熱されているため、同軸ケーブル１２の外被部１２ｄはその接触により溶融する。したがって、同軸ケーブル１２を図９の矢印Ｆで示すようにコネクタ１の端子２の先端２ｂ間に押し付けると、同軸ケーブル１２はその外被部１２ｄが溶融し剥離されるから、図７で示すように端子２の先端２ｂ内に嵌挿すると、同時にこの先端２ｂが端子２内に配設された端末１２ａ〜１５ａをその両側面から把持するので、外部導体２ｂが対応する端子２と接触して両者間の電気的接続が図られることとなる。
【００３２】
なお、他の各外部導体１３ｂ〜１５ｂも対応する各端子３〜５と接触し、両者間の電気的接続が同時に図られることは言うまでもない。なお、図１１は図９の概念上面図である。
【００３３】
したがって、このコネクタ１による同軸ケーブルの接続方法によれば、同軸ケーブル１２〜１５の各外部導体１２ｂ〜１５ｂを露出させる作業、及び外部導体を半田付けする作業を行うことなく、各外部導体１２ｂ〜１５ｂを加熱された各端子２〜５に同時に接触させ、両者間の電気的接続を一括して図ることができることとなる。
【００３４】
そのため、同軸ケーブルの１２〜１５の各外部導体１２ｂ〜１５ｂと対応するコネクタ１の各端子２〜５の結線作業が極めて簡単に行うことができ、このため誤配線、配線不良を可及的に防ぐことができる。
【００３５】
また、このコネクタ１による同軸ケーブルの接続方法による場合でも、コネクタ１はバネ性を有する金属製の端子２〜５から構成されているから、端子２〜５の先端２ｂ〜５ｂは外部導体導体１２ｂ〜１５ｂをそれぞれ確実に把持し、外部導体導体１２ｂ〜１５ｂが端子２〜５から脱落等することは可及的に防止され、その電気的接続は確実に行われることとなる。
【００３６】
また、この実施例では、同軸ケーブル１２〜１５の外被部１２ｄ〜１５ｄを構成する絶縁体をポリエステルで構成し、半田ごてによりコネクタ１を２５０度に加熱するようにしたが、これに限定するものではなく、同軸ケーブル１２〜１５の外被部１２ｄ〜１５ｄを他の絶縁体で構成してもよく、その場合は絶縁体に応じて、熱源または加熱温度を変更するようにしてもよい。
【００３７】
また、この実施例では、コネクタ１の端子列状配置部材６を半田ごて等による加熱手段により加熱したが、これに限定せず、端子２〜５を加熱することができればコネクタ１のどの部分を加熱するものであってもよく、例えば、端子２の先端２ｂを加熱するようにしてもよい。
【００３８】
【発明の効果】
以上説明したように、この発明に係わる接続方法では、所定ピッチで列状に配置された複数本の同軸ケーブルの各外部導体をコネクタに電気的に接続させる同軸ケーブル用コネクタの接続方法において、列状に一体形成されたバネ性を有する断面略Ｕ字形の複数個の端子を有するコネクタを加熱させる工程と、加熱されたコネクタの各端子に対応する各同軸ケーブルをその外被部を含めて嵌着支承させるとともに、嵌着支承される外被部を、加熱された各端子により溶融して剥離し各同軸ケーブルの各外部導体を露出させ、該露出した各外部導体を各端子に電気的に一括接続させる工程とを具えるようにしたから、結線作業がさらに簡単となり、また誤配線、配線不良を可及的に防ぐことができる。
【図面の簡単な説明】
【図１】図１は、この発明のコネクタと該コネクタに嵌着される同軸ケーブルの概念斜視図。
【図２】図２は、この発明のコネクタと該コネクタに同軸ケーブルを接続する様子を示す概念斜視図。
【図３】図３は、この発明のコネクタと該コネクタと電気的に接続した同軸ケーブルを示す概念斜視図。
【図４】図４は、図３のＢ−Ｂ断面図。
【図５】図５は、図３の概念上面図。
【図６】図６は、この発明のコネクタと該コネクタと電気的に接続した同軸ケーブルを示す概念斜視図。
【図７】図７は、図６のＤ−Ｄ断面図。
【図８】図８は、図６の概念上面図。
【図９】図９は、この発明のコネクタと該コネクタに同軸ケーブルを接続する様子を示す概念斜視図。
【図１０】図１０は、図９のＥ−Ｅ断面図。
【図１１】図１１は、図９の概念上面図。
【符号の説明】
１…同軸ケーブル用コネクタ
２〜５…端子
１２〜１５…同軸ケーブル
１２ｂ〜１５ｂ…外部導体
１２ｄ〜１５ｄ…外被部
【図１】
0004033311.tif 000002
【図２】
0004033311.tif 000003
【図３】
0004033311.tif 000004
【図４】
0004033311.tif 000005
【図５】
0004033311.tif 000006
【図６】
0004033311.tif 000007
【図７】
0004033311.tif 000008
【図８】
0004033311.tif 000009
【図９】
0004033311.tif 000010
【図１０】
0004033311.tif 000011
【図１１】
0004033311.tif 000012